(57)【要約】【課題】電源オンからサムネイル表示までの時間を高速化することが可能なディスク記録再生装置を提供する。【解決手段】電源オン時に不揮発性メモリ１０内のサムネイル情報テーブル有無の確認を行い、サムネイル情報テーブルが記憶されていない場合には、ディスク媒体１から管理情報の読み込みを行った後、サムネイル表示の映像データに変換するエンコードデータの読み込みを行い、サムネイル情報テーブルを作成して不揮発性メモリ１０に記憶させる。不揮発性メモリにサムネイル情報テーブルが記憶されている場合にはそれを読み込み、サムネイル表示の映像データに変換するエンコードデータの記録開始位置、記録サイズを使用してディスク媒体１からサムネイル映像に変換するためのエンコードデータを読み込むことにより、ディスク媒体からのデータ読み込み時間を短縮し、サムネイルを高速に表示することが可能となる。【選択図】図１
2007142813.tif 000002
【特許請求の範囲】
【請求項１】
ディスク媒体と、ディスク媒体に記録された動画像データを再生するためのデコーダと、前記動画像データの所定のフレーム画像からサムネイル画像を生成ためのサムネイル画像生成段部と、各種データを保存する不揮発性メモリを備えたディスク記録再生装置において、
前記ディスク媒体に記録されている再生制御情報からサムネイル情報を生成するサムネイル情報生成部と、
前記不揮発性メモリに前記サムネイル用情報を格納するサムネイル情報記録部と、
前記不揮発性メモリに前記サムネイル要情報が格納されているか否かを検出するサムネイル情報検出部と、
前記サムネイル情報検出部で前記不揮発性メモリにサムネイル情報がないと判断した場合に、前記サムネイル情報生成部によりサムネイル情報を生成し、前記サムネイル情報記録部で前記不揮発性メモリに記録する制御を行うシステムコントローラ部とを有することを特徴としたディスク記録装置。
【請求項２】
前記サムネイル情報は、前記動画データ中の所定のフレームアドレスと、前記所定のフレームデータサイズであることを特徴とする請求項１記載のディスク記録装置。
【請求項３】
前記サムネイル情報生成部は、ＤＶＤ−ＶＩＤＥＯ規格のＮａｖｉｇａｔｅｉｏｎ  Ｐａｃｋから前記サムネイル情報を取得することを特徴とする請求項２記載のディスク記録装置。
【請求項４】
前記サムネイル情報性西部は、ＤＶＤ−ＶＲ規格のＶＲ＿ＭＡＮＧＲ．ＩＦＯファイルから前記サムネイル情報を取得することを特徴とする請求項２記載のディスク記録装置。
【発明の詳細な説明】
【技術分野】
【０００１】
本発明は、ディスク記録再生装置に関し、より詳細にはディスク媒体の再生時に、ディスク媒体に記録された映像、音声データのサムネイルを高速に表示することを可能とさせる技術に関する。
【背景技術】
【０００２】
近年、ディスク媒体を記録媒体に使用したＤＶＤレコーダ、ＤＶＤカムコーダといった製品が急速に普及している。前記の製品においては、操作者がディスク媒体に記録された映像データから好みのものを素早く選択、再生が可能となるよう、ディスク媒体に記録された映像データのサムネイル一覧が表示される。
【０００３】
従来サムネイルを表示するために図５で示すようなシーケンスで行われる。すなわち、電源オンの後、最初にディスクの認識が行われる（Ｓ３４）。ディスクの認識完了後、ファイルシステムの読み込みを行い（Ｓ３６）、次にサムネイル表示の映像データに変換するエンコードデータ記録開始位置、及びエンコードデータのサイズを特定するために管理情報の読み込みを行う（Ｓ３７）。管理情報の読み込みはＤＶＤ−ＶＩＤＥＯ規格で記録されたディスク媒体においてはＶＭＧＩ（Ｖｉｄｅｏ  Ｍａｎａｇｅｒ  Ｉｎｆｏｒｍａｔｉｏｎ）、ＶＴＳＩ（Ｖｉｄｅｏ  Ｔｉｔｌｅ  Ｓｅｔ  Ｉｎｆｏｒｍａｔｉｏｎ）、Ｎａｖｉｇａｔｉｏｎ  Ｐａｃｋの順に読み込みを行う。
【０００４】
またＤＶＤ−ＶＲ規格で記録されたディスク媒体においてはＶＲ＿ＭＡＮＧＲ．ＩＦＯの読み込みを行う。次にエンコードデータの読み込みを行い（Ｓ３８）、最後にサムネイル映像への変換（Ｓ３９）、表示を行う（Ｓ４０）。これらＳ３４〜Ｓ４０のシーケンスでは電源オンからサムネイルの表示完了まで長い時間を要するといった課題があった。
【０００５】
そこで上記従来のサムネイル表示完了までの時間を短縮する方法として特許文献１に記載されたものが知られている。
【０００６】
この技術はサムネイル等のカタログ情報、ディスク媒体の識別情報、履歴情報等をハードディスク等の記憶手段に格納しておき、ディスク媒体が挿入された場合に、そのディスク媒体から読み出した履歴情報、あるいは識別情報が、記憶手段に格納されている履歴情報、あるいは識別情報と一致した場合には、ハードディスク等に格納されているサムネイル等のカタログ情報を使用することにより、サムネイル表示の高速化を実現している。
また特許文献２に記載されているように、ディスク媒体のデータ記録エリアにサムネイル表示映像データ等を記録しておき、サムネイル表示を行う場合に、前記サムネイル映像データを読み出し使用することにより、サムネイル表示の高速化を実現している。
【特許文献１】特開２００５−５６４６６号公報
【特許文献２】特開２００１−１１１９６３号公報
【発明の開示】
【発明が解決しようとする課題】
【０００７】
上記特許文献１の技術では、複数のディスク媒体の管理情報及びサムネイル等のカタログ情報を記憶する技術であるため、大容量の情報記憶が可能な記憶手段を備える必要があり、ＤＶＤカムコーダのような小型化、低コスト化が要求されるような製品には前記記憶手段を備えることが困難であることから、前記技術を適用することが非常に困難であるといった課題があった。
また上記特許文献２の技術においては、ディスク媒体上にサムネイル情報の記録を行うため、サムネイル情報が増えるとともに操作者が記録するための領域が減少していくといった課題があった。
【０００８】
本発明は、前記従来の課題を解決するもので、電源オンからサムネイル表示までの時間を高速化することが可能なディスク記録再生装置を提供することを目的とする。
【課題を解決するための手段】
【０００９】
前記従来の課題を解決するために、本発明のディスク記録再生装置は、ディスク媒体と、ディスク媒体に記録された動画像データを再生するためのデコーダと、前記動画像データの所定のフレーム画像からサムネイル画像を生成ためのサムネイル画像生成段部と、各種データを保存する不揮発性メモリを備えたディスク記録再生装置において、
前記ディスク媒体に記録されている再生制御情報からサムネイル情報を生成するサムネイル情報生成部と、前記不揮発性メモリに前記サムネイル用情報を格納するサムネイル情報記録部と、前記不揮発性メモリに前記サムネイル要情報が格納されているか否かを検出するサムネイル情報検出部と、前記サムネイル情報検出部で前記不揮発性メモリにサムネイル情報がないと判断した場合に、前記サムネイル情報生成部によりサムネイル情報を生成し、前記サムネイル情報記録部で前記不揮発性メモリに記録する制御を行うシステムコントローラ部とを有することを特徴としたものである。
【００１０】
また、前記サムネイル情報は、前記動画データ中の所定のフレームアドレスと、前記所定のフレームデータサイズであることを特徴とするものである。
【００１１】
また、前記サムネイル情報生成部は、ＤＶＤ−ＶＩＤＥＯ規格のＮａｖｉｇａｔｅｉｏｎ  Ｐａｃｋから前記サムネイル情報を取得することを特徴とするものである。
【００１２】
また、前記サムネイル情報性西部は、ＤＶＤ−ＶＲ規格のＶＲ＿ＭＡＮＧＲ．ＩＦＯファイルから前記サムネイル情報を取得することを特徴とするものである。
【発明の効果】
【００１３】
以上のように、請求項１、２に記載の発明によれば、ＤＶＤカムコーダのような小型化、軽量化、低コスト化が要求される製品においても、電源オンからサムネイル表示までの時間を高速化することができる。
【発明を実施するための最良の形態】
【００１４】
以下に、本発明のディスク記録再生装置の実施の形態を図面とともに詳細に説明する。
【実施例１】
【００１５】
図１は、本発明の第１の実施例におけるディスク記録再生装置の全体構成図を示すものである。
【００１６】
図１において、２はディスク１を回転駆動するスピンドルモータ、３はディスク１に入出力制御部１３から入出力する情報信号を記録再生する光ピックアップ、４はスピンドルモータ２及び光ピックアップ３を制御するサーボ制御部、５は光ピックアップ３の出力信号からＲＦ信号やサーボ信号を増幅する増幅器、６は増幅器５の出力信号を２値化する信号処理部、７は信号処理部６で２値化したＲＦ信号及びメモリ８に格納されたサムネイル画像データをデコードするデコーダ、８はデコーダ７の出力信号及びサムネイル映像データを一時格納するメモリ、９はディスク記録再生装置全体の制御を行うシステムコントローラ、１０はシステムコントローラ９で実行するファームウェアや各種情報を記憶している不揮発性メモリ、１１はメモリ８上の動画像情報信号をＭＰＥＧ等にエンコードを行う機能と、メモリ８上のフレーム画像をサムネイル映像データにエンコードする機能を有するエンコーダ、１２はエンコーダ１１のエンコード信号をシステムコントローラ９の制御信号で制御し光ピックアップ３のレーザ光源のパワーを制御するパワー制御部、１３はディスク１への記録時には情報信号の入力、再生時にはメモリ８に格納されたデータを出力する入出力制御部、１４はサムネイル情報を生成するサムネイル情報生成部、１５はサムネイル情報を不揮発性メモリ１０に記録するサムネイル情報記録部、１６は不揮発性メモリ１０にサムネイル情報が記録されているか否かを検出するサムネイル情報検出部である。
【００１７】
以上のように構成されたディスク記録再生装置の動作について図２〜４を参照しながら説明する。
【００１８】
図２はＤＶＤ−ＶＩＤＥＯ規格で記録されたディスク媒体が挿入されていた場合に、電源オンからサムネイル画面を表示するまでのシーケンスを示した図である。ディスク記録再生装置の電源をオンにするとまず、ディスクの認識を開始する（Ｓ１）。次にディスクの認識が完了したかどうかの確認を行い（Ｓ２）、ディスクの認識が完了したと判断した後、ディスク媒体上のファイルシステム（ＵＤＦ）の読み込みを行う（Ｓ３）。ファイルシステムの読み込みが完了した後、後述する不揮発性メモリ１０内のサムネイル情報テーブル有無の確認を行う（Ｓ４）。サムネイル情報テーブルが記憶されている場合にはＳ５に進み、記憶されていない場合にはＳ１０に進む。
【００１９】
まずサムネイル情報テーブルが記憶されていない場合について説明する。ディスク記録再生装置からディスク媒体が取り出される場合には、不揮発性メモリのサムネイル情報テーブルの消去を行う。従ってサムネイル情報テーブルが記憶されていないのは、主にディスク媒体が交換されて初めて起動される場合である。このような場合、最初にディスク媒体からＶＭＧＩ（Ｖｉｄｅｏ  Ｍａｎａｇｅｒ  Ｉｎｆｏｒｍａｔｉｏｎ  Ｔａｂｌｅ）の読み込みを行う（Ｓ１０）。次に、読み込んだＶＭＧＩの情報から、ＶＴＳＩ（Ｖｉｄｅｏ  Ｔｉｔｌｅ  Ｓｅｔ  Ｉｎｆｏｒｍａｔｉｏｎ）の記録位置を特定し、読み込みを行う（Ｓ１１）。次にＶＴＳＩの情報から、Ｎａｖｉｇａｔｉｏｎ  Ｐａｃｋの記録位置を特定することが可能となるので、Ｓ１２において、Ｎａｖｉｇａｔｉｏｎ  Ｐａｃｋの読み込みを行う。Ｎａｖｉｇａｔｉｏｎ  Ｐａｃｋを読み込むことによってサムネイル表示の映像データに変換するエンコードデータ記録開始位置とエンコードデータ記録サイズを特定することが可能となるので、Ｓ１３において、ディスク媒体からサムネイル表示の映像データに変換するエンコードデータの読み込みを行い、次にＳ１４においてサムネイル情報テーブルの更新を行う。
【００２０】
サムネイル情報テーブルは図４に示すようにサムネイルのＮｏ．、サムネイル表示の映像データに変換するエンコードデータ記録開始位置、及びエンコードデータのサイズから構成されている。サムネイル情報テーブルのデータサイズはサムネイルのＮｏ．が２ｂｙｔｅｓ（最大６５５３６枚のサムネイル情報を保持することが可能）、サムネイル表示の映像データに変換するエンコードデータ記録開始位置が４ｂｙｔｅｓ、エンコードデータのサイズが４ｂｙｔｅｓであり、サムネイル１枚あたりのデータ量は１０ｂｙｔｅｓである。
【００２１】
従って、例えば１００枚のサムネイル情報を記憶する場合においても、データサイズは１０００ｂｙｔｅｓと非常に小容量である。不揮発性メモリ１０はシステムコントローラ９で実行するためのファームウェアを格納しており、例えばファームウェアを格納するのに８〜１６ＭＢ程度の容量が必要となるため、１０００ｂｙｔｅｓのサムネイル情報を格納する容量は十分に確保することが可能である。従ってサムネイル情報テーブルを格納するための不揮発性メモリを別途備える必要がなくコストアップの必要もない。
【００２２】
Ｓ１４でサムネイル情報テーブルの更新を行った後、Ｓ１３で読み込んだエンコードデータをサムネイル映像用データ、例えばＪＰＥＧ等に変換して、サムネイルの生成を行う。Ｓ１６で表示する全てのサムネイル映像の生成が完了したか否かの確認を行い、完了していない場合は、次にサムネイルを生成するためのエンコードデータが前回生成したサムネイルのエンコードデータと同一のＶＴＳ（Ｖｉｄｅｏ  Ｔｉｔｌｅ  Ｓｅｔ）内に位置しているか否かの確認を行う（Ｓ１７）。同一のＶＴＳ（Ｖｉｄｅｏ  Ｔｉｔｌｅ  Ｓｅｔ）内に位置していなかった場合には、新規にＶＴＳＩ（Ｖｉｄｅｏ  Ｔｉｔｌｅ  Ｉｎｆｏｒｍａｔｉｏｎ）を読み込む必要があるため、Ｓ１１に戻ってディスク媒体からＶＴＳＩ（Ｖｉｄｅｏ  Ｔｉｔｌｅ  Ｓｅｔ  Ｉｎｆｏｒｍａｔｉｏｎ）の読み込みを行う。
【００２３】
Ｓ１７で同一のＶＴＳ（Ｖｉｄｅｏ  Ｔｉｔｌｅ  Ｓｅｔ）内に位置していると判断された場合には、Ｓ１２に戻ってディスク媒体からＮａｖｉｇａｔｉｏｎ  Ｐａｃｋの読み込みを行う。
【００２４】
前記シーケンスをＳ１６で表示する全てのサムネイル映像の生成が完了したと判断されるまで繰り返し、サムネイル映像の生成が完了した後、Ｓ１４で作成したサムネイル情報テーブルを不揮発性メモリに記憶する（Ｓ１８）。前記シーケンスにおいて、Ｓ１０のＶＭＧＩ（Ｖｉｄｅｏ  Ｍａｎａｇｅｒ  Ｉｎｆｏｒｍａｔｉｏｎ）、Ｓ１１のＶＴＳＩ（Ｖｉｄｅｏ  Ｔｉｔｌｅ  Ｓｅｔ  Ｉｎｆｏｒｍａｔｉｏｎ）、Ｓ１２のＮａｖｉｇａｔｉｏｎ  Ｐａｃｋはそれぞれディスク媒体上の連続した位置ではなく、離れた位置に記録されており、ディスク媒体のヘッド移動動作が必要となり、読み込み完了まで非常に時間がかかる処理である。
【００２５】
次にＳ４で不揮発性メモリ１０内のサムネイル情報テーブルが記憶されている場合のシーケンスを説明する。Ｓ５で不揮発性メモリ１０からサムネイル情報テーブルの読み込みを行い、Ｓ６でサムネイル情報テーブルからサムネイル表示の映像データに変換するエンコードデータ記録開始位置、及びエンコードデータの記録サイズを取得する。Ｓ６で取得した情報を使用してＳ７でディスク媒体上からエンコードデータの読み込みを行い、読み込んだエンコードデータをＳ８でサムネイル映像用データ、例えばＪＰＥＧ等に変換してサムネイルを生成する。Ｓ９で表示する全てのサムネイル画像の生成が完了したか否かの確認を行い、完了していない場合にはＳ６に戻りＳ６〜Ｓ９のシーケンスを繰り返す。
【００２６】
次にＤＶＤ−ＶＲ規格で記録されたディスク媒体が挿入されていた場合に、電源オンからサムネイル画面を表示するまでのシーケンスを図３を使用して説明する。ディスク記録再生装置の電源をオンにするとまず、ディスクの認識を開始する（Ｓ１９）。次にディスクの認識が完了したかどうかの確認を行い（Ｓ２０）、ディスクの認識が完了したと判断した後、ディスク媒体上のファイルシステム（ＵＤＦ）の読み込みを行う（Ｓ２１）。ファイルシステムの読み込みが完了した後、不揮発性メモリ１０内のサムネイル情報テーブル有無の確認を行う（Ｓ２２）。サムネイル情報テーブルが記憶されている場合にはＳ２３に進み、記憶されていない場合にはＳ２８に進む。
【００２７】
まずサムネイル情報テーブルが記憶されていない場合について説明する。サムネイル表示の映像データに変換するエンコードデータ記録開始位置、エンコードデータ記録サイズを特定するためにまずＳ２８でディスク媒体からＶＲ＿ＭＡＮＡＧＥＲ．ＩＦＯの読み込みを行う。次にＳ２９において、サムネイル表示の映像データに変換するエンコードデータの読み込みを行い、Ｓ３０においてサムネイル情報テーブルの更新を行う。サムネイル情報テーブルは前記図４で示したものと同様のものである。Ｓ３０でサムネイル情報テーブルの更新を行った後、Ｓ３１で読み込んだエンコードデータをサムネイル映像用データ、例えばＪＰＥＧ等に変換して、サムネイルの生成を行う。Ｓ３２で表示する全てのサムネイル映像の生成が完了したか否かの確認を行い、完了していない場合は、Ｓ２９に戻ってサムネイル表示の映像データに変換するエンコードデータの読み込みを行う。
【００２８】
前記シーケンスをＳ３２で表示する全てのサムネイル映像の生成が完了したと判断されるまで繰り返し、サムネイル映像の生成が完了した後、Ｓ３０で作成したサムネイル情報テーブルを不揮発性メモリ１０に記憶する（Ｓ３３）。前記シーケンスにおいて、Ｓ１９のＶＲ＿ＭＡＮＧＲ．ＩＦＯの読み込みはディスク媒体のヘッド移動動作が必要となり、読み込み完了までに時間がかかる処理である。
【００２９】
次にＳ２２で不揮発性メモリ１０内のサムネイル情報テーブルが記憶されている場合のシーケンスを説明する。Ｓ２３で不揮発性メモリ１０からサムネイル情報テーブルの読み込みを行い、Ｓ２４でサムネイル表示の映像データに変換するエンコードデータ記録開始位置、及びエンコードデータの記録サイズを取得する。
【００３０】
Ｓ２５においてＳ２４で取得した情報を使用してディスク媒体上からエンコードデータの読み込みを行い、読み込んだエンコードデータをＳ２６でサムネイル映像用データ、例えばＪＰＥＧ等に変換してサムネイルを生成する。Ｓ２７で表示する全てのサムネイル画像の生成が完了したか否かの確認を行い、完了していない場合にはＳ２４に戻りＳ２４〜Ｓ２７のシーケンスを繰り返す。
【００３１】
以上のように不揮発性メモリ１０に記憶されているサムネイル情報テーブルを使用することにより、ＤＶＤ−ＶＩＤＥＯ規格で記録されたディスク媒体においてはＶＭＧＩ（Ｖｉｄｅｏ  Ｍａｎａｇｅｒ  Ｉｎｆｏｒｍａｔｉｏｎ）、ＶＴＳＩ（Ｖｉｄｅｏ  Ｔｉｔｌｅ  Ｉｎｆｏｒｍａｔｉｏｎ）、Ｎａｖｉｇａｔｉｏｎ  Ｐａｃｋを読み込むことなくサムネイル表示の映像データに変換するエンコードデータ記録開始位置、及びエンコードデータの記録サイズを特定することが可能となり、またＤＶＤ−ＶＲ規格で記録されたディスク媒体においてはＶＲ＿ＭＡＮＧＲ．ＩＦＯを読み込むことなくサムネイル表示の映像データに変換するエンコードデータ記録開始位置、及びエンコードデータの記録サイズを特定することが可能となり、ディスク媒体からデータの読み込みを行う時間が短縮され、非常に高速にサムネイルを表示することが可能となる。
【００３２】
またサムネイル情報テーブルはサムネイル表示の映像データに変換するエンコードデータ記録開始位置、及びエンコードデータの記録サイズのみを記憶したものなので、ＤＶＤ−ＶＩＤＥＯ規格、ＤＶＤ−ＶＲ規格双方に対して共通に使用することが可能である。
【００３３】
さらに不揮発性メモリ１０に記憶することにより、電源オフした場合にもサムネイル情報テーブルの情報は保持され、次回電源オン時も利用可能となる。
【産業上の利用可能性】
【００３４】
本発明にかかるディスク記録再生装置は、電源オンからディスク媒体に記録されている映像データのサムネイル表示完了までの時間を短縮することができるという有利な効果が得られる。
【００３５】
またサムネイル情報テーブルを格納するメモリをシステムコントローラのファームウェアを記憶している不揮発性メモリと共用することが可能であり、ディスク記録再生装置におけるハードウェア資源の効率的利用が可能である
【図面の簡単な説明】
【００３６】
【図１】本発明の実施の形態１におけるディスク記録再生装置の全体構成図
【図２】本発明の実施の形態１におけるＤＶＤ−ＶＩＤＥＯ規格のディスク媒体挿入時のサムネイル表示フロー図
【図３】本発明の実施の形態１におけるＤＶＤ−ＶＲ規格のディスク媒体挿入時のサムネイル表示フロー図
【図４】本発明の実施の形態１におけるサムネイル情報テーブルの構成図
【図５】従来のディスク記録再生装置におけるサムネイル表示フロー図
【符号の説明】
【００３７】
１  ディスク媒体
２  スピンドルモータ
３  光ピックアップ
４  サーボ制御部
５  増幅器
６  信号処理部
７  デコーダ
８  メモリ
９  システムコントローラ
１０  不揮発性メモリ
１１  エンコーダ
１２  パワー制御部
１３  入出力制御部
１４  サムネイル情報生成部
１５  サムネイル情報記録部
１６  サムネイル情報検出部
【図１】
2007142813.tif 000003
【図２】
2007142813.tif 000004
【図３】
2007142813.tif 000005
【図４】
2007142813.tif 000006
【図５】
2007142813.tif 000007